(57)【要約】      （修正有）【課題】チューブ容器において、抽出口を上にして保存すると、内容物の量の減少にともない、抽出が困難になるというチューブ容器の欠点の解決。【解決手段】チューブ容器を上下二分し、下半分Ｂを上半分Ａの内側に押し入れることで、容器の内容積を１００％から０％までの範囲で調整し、常に容器内容積を内容物の量に最も適合した容積とすることにより、内容物の抽出が常に即座に行われるようにする。【選択図】  図１
2004203480.tif 000002
【特許請求の範囲】
【請求項１】
抽出口（７）を上にして保存しながら、容器内容積を適宜に変更させることによって、内容物の量に関わりなく、常に内容物の抽出が容易にできる容器。
【請求項２】
請求項１の製造方法。
【発明の詳細な説明】
【０００１】
〔発明の属する技術分野〕  容器に関する
【０００２】
〔従来の技術〕
従来のチューブ容器は、その形状をガラス瓶に模して成形し、使用時に外圧を加えて内容物（例・マヨネーズ等）を抽出するだけのものであった。従って容器の内容積は最初から最後まで変わらず、その為に容器内に内容物が一定量ある間は抽出が容易であるが、内容物が減ってくると、次第に抽出が困難となり、即座に抽出できなくなるという欠点があった。
【０００３】
〔発明が解決しようとする課題〕
従来のチューブ容器の欠点は、内容物の量が減っても容器内容積は変わらない為、内容物の減少に供い容器内に余分の空間ができ、内容物の量が減れば減る程内容物の上に空気量が増大し、内容物を抽出するに際しては、まずは内容物の上にある空気を除去してからでなければならず、かつその状態を保ったまま下に溜った内容物を抽出口まで誘導せねばならず、この間の時間と労力、心理的な負担は甚大であった。にもかかわらず、この欠点はチューブ容器の宿命とみなされ、現在に至るまで、これという解決策は提出されなかった。唯一、抽出口を下にして保存する方法があるが、これは衛生的にも問題があり、開栓と同時に内容物が噴き出すという欠点があるうえ、容器の底から抽出するという点で心理的にも抵抗が大きい。できれば抽出口を上にして保存し、最初から最後まで困難なく内容物を抽出するのが人類の理想であった。
【０００４】
〔課題を解決する為の手段〕
本発明による「内容物量最適容積可能式チューブ形容器」（以下、単に容器）は、容器の内容積を１００％から０％まで自在に調整することによって上記の課題を解決することに成功した。
【０００５】
上記手段とは、容器本体を上と下に二分し、上半分の内側に下半分を押しこむという方法で容器の内容積を１００％から０％の範囲で調整するものである。
【０００６】
本発明の容器は、一体成形でも可能であるし、上下二分し、夫夫別々に成形した後、上半分の下端と下半分の上端を接合させることでも可能である。
【０００７】
本体を二分して成形する場合を例にとって説明すると、本体上半分は下半分に比して三回り程大きく、かつ内側からの圧力で容器が外側へ膨れ出さない程度の硬さに成形し、下半分は上半分に比して三回り程小さく、かつ、多少の伸縮ができる程度の軟度で成形する。上半分の下端と下半分の上端を接合するが、接合部は下半分を上半分の内側に押しこむ際の基点（支点）となる。（一体成形の場合は接合の必要はない）。
【０００８】
上記の基点（４）は、本体の下半分を上半分の内側に押し込んでゆく場合の溝（１１）の支点となる。溝は上半分の内側に沿ってヘアピン状に上に向って伸びてゆく。
【０００９】
本体容器とは別に下半分を上半分の内側に押しこんでゆく際に用いる、カップ状、ないしは円筒形の押し器を作成する。押し器（ＩＩ）は容器の下半分を中に収め、開口縁を上記の溝に差しこみ、その状態で上に押し上げてゆく。押し器の硬さは容易には変形しない硬さで成形する。
【００１０】
〔発明の実施の形態〕
発明の実施の形態を実施例にもとづき図面を参照しながら説明する。
本発明の容器における内容物（斜線部分）の抽出に際しては図１の状態にある容器（Ｉ）に、図３にある押し器（ＩＩ）を装着し（図４）、容器の下半分（Ｂ）を押し器ともども上半分（Ａ）の内側に押し上げてゆく（図８）。
【００１１】
上記の場合、基点（４）を支点として、上半分の側面（１）の内側に密着した下半分の側面（２）の折り返された部分の外側と、下半分の未だ折り返されていない側面（２）の外側との間に、浅いヘアピン状の溝（１１）ができる（図７）。この溝（１１）は、内容物を抽出し、下半分を押し上げてゆく過程で逆Ｖ字形に広がってゆき（図９）、遂には本体容器の肩口（６）で消滅する（図１１）。
【００１２】
押し器はカップ（１７）に容器の下半分を収め、開口縁（１６）を溝（１１）に差しこみ（図５）、その状態で上半分の内側へ押し上げてゆく（図８）。内容物を抽出するたびに押し上げて容器内の余分な空気を排除するので、容器内の内容物は常に容器の肩口（６）までせり上げられ、即座に抽出が可能な状態（図８）におかれている。
【００１３】
容器の下半分がせり上がる状態は〔図９〕の如くになる。つまり押し器のカップ（１７）内の下半分は側面を押し器の開口縁（１６）によって吊り上げられ、開口縁上で側面を反転させながら、上半分の内側に密着しつつ、上昇してゆくが、カップの中においても吊り下げ状態（図８）から、次第に偏平な鼓面状態（図９）に変化してゆく。
【００１４】
容器内の内容物がほとんどなくなると、押し器を一担抜きとり、上下向きを逆にして（図１０）、再び挿入する。押し器を押すと、容器の底（８）の周辺（９）は完全に逆転し、更に押すと、底の突起は抽出口に押しこまれる。
この時点で、溝（１１）は消滅し、内容物は抽出される（図１１）。
【００１５】
〔発明の効果〕
上記の結果、本発明の容器においては、容器の内容積は内容物の量に最も適合した内容積を可能にするので、内容物の抽出においては、最初の抽出から最後の抽出に至るまで、何ら滞ることなく即座に抽出することができる。本発明の結果、内容物の減少にともなう抽出の困難化という、チューブ容器特有の欠点から、人類はようやく解放されたのである。
【図面の簡単な説明】
【図１】内容積可変式チューブ形容器（以下、単に容器）の立体透視図である。
【図２】容器の上半分と下半分の連続部の拡大縦断面図である。
【図３】繰り込み器の立体透視図である。
【図４】図１の容器に、図３の繰り込み器を装着した状態での立体透視図である。
【図５】図４の状態での縦断面図である。
【図６】繰り込み部（３）の横断面図である。
【図７】繰り込み部（３）の拡大縦断面図である。
【図８】図４の状態の容器から内容物を抽出している状況での縦断面図である。
【図９】図８の状態の繰り込み部（３）の拡大縦断面図である。
【図１０】内容物が僅かになった状況で、図３の繰り込み器を抜去した状態の縦断面図である。
【図１１】内容物を抽出しきった状態での容器と繰り込み器の縦断面図。
【符号の説明】
Ｉ  内容積可変式チューブ形容器（以下、容器）の立体透視図
ＩＩ  繰り込み器の立体透視図
Ａ  容器の上半分
Ｂ  容器の下半分
１  Ａの側面
２  Ｂの側面
３  繰り込み部
４  基点（接合部）
５  （溝の）最深部（反転部）
６  肩口
７  抽出口
８  底
９  底の周縁部
１０  突起
１１  溝（４〜５の間つまり繰り込み部）
１２  繰り込み部の側面
１３  繰り込み部の底
１４  繰り込み部の底の周縁
１５  抜気孔
１６  開口部の縁
１７  カップ
【図１】
2004203480.tif 000003
【図２】
2004203480.tif 000004
【図３】
2004203480.tif 000005
【図４】
2004203480.tif 000006
【図５】
2004203480.tif 000007
【図７】
2004203480.tif 000008
【図８】
2004203480.tif 000009
【図９】
2004203480.tif 000010
【図１０】
2004203480.tif 000011
【図１１】
2004203480.tif 000012
【手続補正書】
【提出日】平成15年3月30日(2003.3.30)
【手続補正２】
【補正対象書類名】図面
【補正対象項目名】全図
【補正方法】変更
【補正の内容】
【図１】
2004203480.tif 000013
【図２】
2004203480.tif 000014
【図３】
2004203480.tif 000015
【図４】
2004203480.tif 000016
【図５】
2004203480.tif 000017
【図６】
2004203480.tif 000018
【図７】
2004203480.tif 000019
【図８】
2004203480.tif 000020
【図９】
2004203480.tif 000021
【図１０】
2004203480.tif 000022
【図１１】
2004203480.tif 000023